(57)【要約】【目的】インキ収容部が非変形であっても筆記先方部位がフレキシブルに変移可能となるボールペン筆記体をシール性能や組立性を改善して安価に提供可能とする。【構成】本発明のボールペン筆記体は、インキ収容部が軸長方向に対して横方向に変形しない大きな横断面積を有し、ボールペンのチップを固定した継ぎ手部の後端と前記インキ収容部を接続する部位がインキ収容部を形成する樹脂材料と融着し合うエラストマー樹脂を弾性体として二重成形によって形成されて、軸長方向に対して横方向に自在に変位するように設けられたことを特徴とする。【選択図】        図５
2004358691.tif 000002
【特許請求の範囲】
【請求項１】
インキ収容部が軸長方向に対して横方向に変形しない大きな横断面積を有し、ボールペンのチップを固定した継ぎ手部の後端と前記インキ収容部を接続する部位がインキ収容部を形成する樹脂材料と融着し合うエラストマー樹脂を弾性体として二重成形によって形成されて、軸長方向に対して横方向に自在に変位するように設けられたことを特徴とするボールペン筆記体。
【発明の詳細な説明】
【０００１】
【産業上の利用分野】
本発明は、インキ収容部が軸長方向に対して横方向に変形しない大きな横断面積を有したボールペン筆記体を筆記具に搭載して、しかも、その筆記先端部が筆記具の軸先から横方向に自在に屈曲可能となるボールペン筆記体に関する。
【０００２】
【従来の技術】
【特許文献１】特開平１０−１３８６８５
【特許文献２】登録実用新案登録  第３０３５６３９
特許文献１には以下の内容が記載されている。
ボールペンのチップと後方にインキ収容部が比較的大きな横断面積を有した非変形のインキ収容管を有し、該インキ収容管内に筆記に伴う先端ボールの回転で粘性が低下して流出される、所謂剪断減粘性を有した水性ボールペンインキまたは低粘度の油性インキが充填され、インキの後端に筆記に伴うインキの消耗に追随して移動するグリース状の半透明不乾性物から成るフォロアが充填されて構成されるボールペン筆記体と、そのボールペン筆記体を少なくとも１本含む２種の筆記体を搭載して、筆記体と連動して軸筒の先端口から選択的に夫々の筆記体の先端部を出没可能とする複式筆記具が提案されている。
また、インキ収容部は比較的大きな断面積を有した非変形のものであって、実施例では後軸内に無駄なく嵌挿する略Ｄ形の断面形状を有し、チップとインキ収容部を接続する部位が軸長方向に対する横方向に容易に変移可能と成され、一例としてチップ後端を圧着する継ぎ手とインキ収容管との間にフレキシブルなチューブを接続して構成することが示されている。
それによって、ボールペン筆記体のインキ収容部が非変形であっても筆記先方部位がフレキシブルに変移するので作動が阻害されずに先軸の先端口からスムーズに筆記先端部が出没可能となり、また携帯性、使い勝手性を満足した軸体の太さで提供可能とするものである。
【０００３】
一般に、複式筆記具の筆記先端部の出没機構としては、ノック式のもの、筆記具の軸筒側面から貫出したスライダーを交互に摺動させるスライダー式のもの、傾斜面を備えたカム筒を回転させて行うカム式のものなど種々知られている。
また、中粘度の水性、低粘度の油性ボールペンはインキ収容管が太くなるために通常の太さの複式筆記具に搭載した場合、筆記体間の自由度がなく突出する筆記体の先端部が軸筒の先端孔にスムーズに求心されず、作動が阻害されて筆記先端部の出没が不可となる問題を生じる。従って、作動を可能とするために軸筒を極端に太くする必要が有るが、そうした場合には、携帯性、使い勝手が悪くなる欠点がある。また、インキの粘度が低いために、チップ側を下向きにした場合に先端ボールとチップ抱持部の隙間が生じるとインキが滲みでる（直流）が生じたり、筆記時にインキの流出量が多くなる欠点がある。
【０００４】
また、特許文献２には以下の内容が記載されている。
可撓性レフィルからなる油性、又は水性のボールペン等に於いて、金属、プラスチック等からなる先胴部、胴部と、これらの中心軸に斜交する連結面を有する先端部からなり、この連結面と直交に設けた嵌合部に構成したネジの螺合により、斜交線付近で先端部を捻る事により、Ｉ字状とＪ字状のツーウェイを得る事を可能とし、紙面に対する筆記先端部の適正な角度で、紙面に対し書き易く、長時間筆記時でも指、手首、肩等への疲労度が少ない握り角度で対応できることが示されている。
【０００５】
【発明が解決しようとする課題】
本発明の課題は、インキ収容部が非変形であっても筆記先方部位がフレキシブルに変移可能となるボールペン筆記体をシール性能や組立性を改善して安価に提供可能とする。
【０００６】
【課題を解決するための手段】
本発明は、上記課題を達成する為に以下の構成を有する。
請求項１に記載の発明に係るボールペン筆記体は、インキ収容部が軸長方向に対して横方向に変形しない大きな横断面積を有し、ボールペンのチップを固定した継ぎ手部の後端と前記インキ収容部を接続する部位がインキ収容部を形成する樹脂材料と融着し合うエラストマー樹脂を弾性体として二重成形によって形成されて、軸長方向に対して横方向に自在に変位可能とする。
【０００７】
【実施例】
先ず、図１乃至図５は本発明のボールペン筆記体を複式筆記具に搭載した実施例を示している。図１に於いて、２本のボールペン筆記体１ａ、１ｂが設けられている。この複式筆記具は、所謂剪断減粘性を有した水性、または低粘度の油性インキ等の低粘度インキが充填されたボールペン筆記体や、通常の油性ボールペン用インキが充填されたボールペン筆記体などが搭載される。
【０００８】
図１に示す複式筆記具は、前部に位置した筆記具機構の部分を収納する先軸４９及び後軸３０と後軸の後端に配設された操作体４２とからなる。また、先軸４９の後部内周に雌螺子４９ｂが形成されている。また、後軸３０の前部には雄螺子３２が形成され、前記先軸４９の雌螺子４９ｂと螺合されて、必要に応じて取り外されてボールペン筆記体の交換などを行う。
【０００９】
また上記後軸３０の内孔後端の内周に後述する回転軸３３の回転範囲を規制する回り止め用のリブ３０ａが形成されると共に段部３０ｂを有し、また、後軸３０の前方内周部に９０度間隔にあいて軸方向に形成された４本のガイド用のリブ３１が形成されている。また、後軸３０のやや後方寄りの外周に３箇所で山形状の膨出部３９が形成され、２箇所の膨出部の中央には凹部４０ａ，４０ｂが設けられている。
【００１０】
回転軸３３は、大径部３６の前方に小径部３４を有し、小径部３４の周面に螺旋状のカム溝３５が形成されている。また、大径部３６の後方に縮径した軸部を有し、その軸部の前方外周に突状の係止部３７が、後端に所要箇所で回転止め溝３８が設けられている。また、大径部３６の周面に、リブ３０ａが係合して後軸３０との間に於いて略１８０度の範囲で回転軸３３を回転規制する溝３６ａが設けられている。尚、回転軸３３の回転角度を大きくすれば回転抵抗が小さくなって操作し易くなる利点があるが、回転角度が大きくなることでアクションが大きくなる点は操作上の欠点となる。従って、回転角度は軸体の径が小さい場合は１８０度寄りに、径が大きい場合は１２０度寄りに設計都合で選択される。
【００１１】
操作体４２は、天冠４３と天冠４３の外周部の一側面から前方に延設したクリップ４４で形成される。クリップ４４先方の内側には玉部４５が設けられ、天冠の前方には孔部４３ａが、孔部の前方周面に周状の係止溝４２ａと後方周面に所要箇所の回転止めリブ４１が設けられている。
【００１２】
摺動コマ４６ａ，４６ｂの前方には挿入孔４８ａ，４８ｂ設けられ、それぞれの挿入孔には後述するボールペン筆記体１ａ，１ｂの後端を止着する内方突条の係止部５１ａ，５１ｂが設けられている。また、その後方の内面側には回転軸３３の回転に伴うカム溝３５の押圧で夫々の摺動コマが前後動するための突起部４７ａ，４７ｂが形成されている。また、摺動コマ４６ａ，４６ｂの外周には、上記後軸３０のガイド用のリブ３１に回転止め係合する溝５３ａ，５３ｂが設けられている。従って、摺動コマ４６ａ，４６ｂの側面に設けた溝５３ａ，５３ｂがガイド用のリブ３１と夫々噛み合うことにより、摺動コマ４６ａ，４６ｂを円滑に前後動させる。また、摺動コマ４６ａ，４６ｂの横断面形状は略Ｄ形を成している。従って、従来例でよく示される、相対向する２つのガイド溝を有したガイド筒を取付ける複雑な構成を必要としない利点がある。
また、摺動コマ４６ａ，４６ｂは夫々の平坦側が相対接するが、相互間の摺動をより円滑とする為に、摺動コマ４６ｂにガイド突起５２ｂが、摺動コマ４６ａにはガイド突起５２ｂを嵌挿するガイド溝５２ａが設けられている。
【００１３】
そして、回転軸３３は上記摺動コマ４６ａ，４６ｂの突起部４７ａ，４７ｂをカム溝３５に係合させた状態で後軸３０の内孔に挿入され、大径部３６の後端が後軸の段部３０ａに当接されると共に回転軸３３の後端軸部に上記操作体４２が止着される。その時、係止部３７が天冠４３の係止溝４２ａに係合し、回転止め溝３８が天冠の回転止めリブ４１に係合して、回転軸３３と操作体４２は一体に固定されて、後軸３０に対し操作体４２を回転することで回転軸３３が回転し、それと共に一方の摺動コマが前進し、他方の摺動コマが後退する。
また、摺動コマ４６ａ，４６ｂの挿入孔４８ａ，４８ｂにボールペン筆記体１ａ，１ｂの後端部が止着され、後軸３０の前方に先軸４９が固定される。
【００１４】
次に、図６及び図７は本発明のボールペン筆記体を軸筒の中心軸に対して軸先部が屈曲するように構成された筆記具に搭載した実施例を示している。
図に示すように、軸筒５４の前端に軸先部５５が軸支部５６で適宜角度範囲で屈曲するように設けられている。
軸筒に対して軸先部を適宜屈曲した状態螺着することも可能である。また、軸筒の後端側からカムやリンクなどで連動させて軸先部を徐々に傾けて固定するように設けることも可能である。
【００１５】
次に、本発明の要旨であるボールペン筆記体について説明する。
尚、ボールペン筆記体１ａと１ｂは同じ構成であり、例えば、インキ色や先端ボール径などが異なるものである。また、ボールペン筆記体に適用されるインキは、主として所謂剪断減粘性を有した水性、低粘度の油性インキ等の低粘度インキであるが、通常の油性ボールペン用のインキも適用される。
【００１６】
図５に示すようにチップ１０は、インキ流入可能なチャンネルを有した座に先端ボール１１が略当接した状態で、先端ボール１１が回転自在に抱持されるようカシメられている。また、チップ１０の内孔部にスプリング１３が内挿され、スプリング１３の後端が抜出不能となるようにチップの軸部１２の後端を適宜カシメている。また、先端ボール１１がチップ抱持部の内面に密接することは筆記先端の乾燥、インキの直流防止に対し極めて重要であって、そのために先端ボールを抱持するチップ内面の表面粗さ、カシメによる密接精度を改善する為に内面の研削仕上げ、カシメ精度を上げる為の二次的な塑性加工が配慮される。また、先端ボールとの密接面に表面処理などが配慮される。
【００１７】
また、スプリング１３の先方は直線状の棒軸部１４となり、当該棒軸部１４の先端が先端ボール１１の後端に押圧状態で当接する。尚、先端ボール１１はその押圧によってチップ１０のボール抱持部（カシメなどで形成）の内縁に密接状態となる。
【００１８】
また、継ぎ手部２は先端にチップ１０の軸部１２を圧着する前軸部３を有し、その後方部とインキ収容部１６との間にその樹脂材料と融着し合うエラストマー樹脂を屈曲可能な弾性体４として二重成形によって連結固着されている。
従って、ボールペン筆記体は、そのインキ収容部が軸長方向に対して横方向に変形しない大きな横断面積を有し、各筆記体が軸内に嵌挿されたときほぼ揺動なき状態に密装されていたとしても、ボールペン筆記体のチップと前記インキ収容部を接続する部位は弾性体で屈曲可能に連結固着され、軸長方向に対して横方向に容易に変位するようフレキシブルに設けられてなり、各筆記体の筆記先端部が先軸の先端口から自在に出没可能となる。
ところで、前記インキ収容部１６は、実施例では後軸３０内に無駄なく嵌挿する略Ｄ形の断面形状を有しているが、軸形状に応じて矩形状やその他の形状でもよいし、軸内部に空間は生じるが通常の円筒形であってもよい。
【００１９】
また、継ぎ手部２及びインキ収容部１６の剛性部樹脂材料と弾性体４に使用される弾性部樹脂材料は、インキの蒸発を防止するとか、お互いの接合部が良好に融着するように通常同系の樹脂材料が選ばれる。また接合部は、係合した形状で強固に固着されるようになされる。
尚、継ぎ手部２やインキ収容部１６は一例として透明ＰＰ樹脂成形品等が使用される。また、インキ収容管１６をクリアドレン性に優れた材質で選定する。
従って、継ぎ手とインキ収容管をゴムのような弾性体で接続したり、硬い樹脂を細めて不十分な屈曲性を期待することもないので、シール性能や組立性の良いボールペン筆記体が安価に提供可能となる。
【００２０】
また、前軸部３の内孔部後方にはボール弁１５が遊嵌している弁室６があり、弁室６の後方にはテーパー状または球面状のボール受け座７と軸心に適宜偏心して設けられた導孔８とが設けられ、後軸部４の内孔がインキ収容部１６の内孔に連通している。また、弁室６の内壁の一側には軸方向にインキ１７が流れるように溝部を設けている。（図示せず）この弁室６内の遊嵌しているボール弁１５は、チップ１０を下向きにした状態ではチップの軸部１２の後端に偏った状態に接してインキ流路を形成し、インキ収容部１６のインキ１７は導孔８を通り前記溝部、前記インキ流路をなどを通じてチップ内孔部に流入する。逆に上向きの状態ではボール弁１５がボール受け座７に当接してインキ１７の逆流を防止する機能が得られる。
【００２１】
また、インキ収容部１６内には上記インキ１７の後端にインキの消耗と共にインキ面に接触して追随して移動可能なグリース状の半透明不乾性物から成るフォロア１８が充填される。また、落下やノック衝撃等による変形を防止するために必要に応じてフォロア１８内にフォロアと略同等の比重を有する樹脂製のフォロア棒１９が浸漬される。インキ収容部１６の後端には尾栓２０が固着されていて、該尾栓後端の軸部に上述した摺動コマ４６ａ、４６ｂの前部に設けられている挿入孔の係止部５１ａ，５１ｂに着脱可能に止着する係止溝２２が設けられている。また、尾栓２０にはインキ収容部１６の内部と外気を連通する通気溝２１が設けられている。
尚、尾栓はボールペン筆記体の必須の構成要素ではなく、筆記具の形態によって要否が決まる。
【００２２】
【作用】
後軸３０に対して操作体４２を一方に回転すると、摺動コマ４６ａ，４６ｂの突起部４７ａ，４７ｂが回転軸３３の回転に伴いカム溝３５に沿って摺動して、何れか一方の摺動コマが前進、他方が後退して、前進側の筆記体の筆記先端部が弾性的に屈曲して先端口から突出可能となる。
即ち、ボールペン筆記体１ａ，１ｂのインキ収容部が軸長方向に対して横方向に変形しない大きな横断面積を有し、各筆記体が軸内に嵌挿されたときほぼ揺動なき状態に密装されていたとしても、筆記先端部がフレキシブルに変位するので作動が阻害されずに筆記先端部が先端口からスムーズに出没する。
【００２３】
また、一方のボールペン筆記体１ａが突出した状態に於いては、図１及び図３に示すようにクリップの玉部４５が後軸の膨出部３９の凹部４０ａに隠蔽されて容易にクリップ４４が胸ポケット等に差せない状態を作る。
次に、回転軸３３を回転すると摺動コマ４６ａが後退してボールペン筆記体１ａの筆記先端部が口先部内に没入すると共に、摺動コマ４６ｂが前進する。
その時、筆記先端部が口先部内に収容された携帯状態となり、その状態に対するクリップが図３に示す４４ａ位置となって胸ポケット等に容易に差すことが可能となる。
【００２４】
更に回転軸３３を回転すると摺動コマ４６ａが更に後退し、摺動コマ４６ｂが更に前進してボールペン筆記体１ｂの筆記先端部が口先部５０の先端口５０ｂから突出する。その状態に対するクリップが図３に示す４４ｂ位置となって膨出部の凹部４０ｂに隠蔽されて容易にクリップ４４が胸ポケット等に差せない状態を作る。また、図４に示す回転軸の大径部３６の溝３６ａの当接部３６ｃが後軸のリブ３０ａに当接して他方の回転規制がなされる。
【００２５】
本発明のボールペン筆記体１ａは、継ぎ手部２が、先端にチップ１０の軸部１２を圧着する前軸部３の後方部とインキ収容部１６との間にその樹脂材料と融着し合うエラストマー樹脂を屈曲可能な弾性体４として二重成形によって連結固着しているので、インキ収容部が軸長方向に対して非変形な横断面積を有しながらも筆記前方部は横方向に自在に変位可能である。
また、図６及び図７に示すように、本発明のボールペン筆記体１ａを搭載した筆記具は、軸筒５４の前端に於いて軸先部５５を適宜角度範囲で屈曲させることが可能である。従って、紙面に対する筆記先端部の適正な角度で、紙面に対し書き易く、長時間筆記時でも指、手首、肩等への疲労度が少ない握り角度で対応することが可能となる。
【００２６】
また、ボールペン筆記体１ａは、チップ１０を上向きにした状態に於いて、そのボール弁１５が弁室６のボール受け座７に位置して導孔８を密閉するので、上向き筆記されてチップの先端ボール１１背面のインキがなくなっても、インキにヘッドが掛かり逆流することがない。従って、チップ１０を下向きにした時にはインキがすぐに流出可能となり、筆記で掠れが防止される。（因みにボール弁を有しない構造では、上向き筆記でインキが逆流方向に作用するのでチップ内に空気を巻き込み、下向き筆記で即インキが追随せず掠れが生じる）
【００２７】
チップ１０を下向きにした筆記状態に於いては、ボール弁１５がチップ１０後端の一方に偏った状態に当接し、他方にはチップ１０内にインキが流入可能な流路が構成され、インキ収容部１６から導孔８を経て弁室６に入ったインキ１７は先端ボール１１の背面まで誘導される。この状態で、棒軸部１４の押圧で先端ボール１１がチップ抱持部の内縁に密接されるのでインキの直流が防止される。
また、筆圧により先端ボール１１が微小に後退するので隙間を生じてインキが流出可能となり、筆記により先端ボール１１の回転でインキがスムーズに流出され、ボテが無く、筆跡濃度の高い筆記が可能となる。
【００２８】
先端ボール１１の背面にはチャンネル（チップ内孔に向かって貫通したインキ流入溝を複数箇所に有した先端ボールの受け座）がありチャンネルの中心孔には棒軸部１４が貫通する。チップ内のインキはインキ流入溝および中心孔と棒軸部１４との間の隙間を通じて先端ボール１１背面に誘導される。
【００２９】
【発明の効果】
本発明のボールペン筆記体の構成及び作用は以上の如くであり、インキ収容部が軸長方向に対して横方向に変形しない大きな横断面積を有したものであっても、複式筆記具に複数のボールペン筆記体を略密挿状態に搭載しながらも、先軸の先端口からそれぞれの筆記体の先端部をスムーズに出没可能とし、且つ携帯性、使い勝手性に支障のない軸の太さで複式筆記具を提供可能とする。また、軸筒前端に於いて軸先部を屈曲可能とする筆記具に搭載して、軸先部と共に筆記先端部を適宜角度範囲で屈曲させることが可能となり、従って、紙面に対する筆記先端部の適正な角度で、紙面に対し書き易く、長時間筆記時でも指、手首、肩等への疲労度が少ない筆記具を提供可能とする。
【図面の簡単な説明】
【図１】本発明のボールペン筆記体を搭載した複式筆記具の全体を示す縦断面図で、一部非断面で示されている。
【図２】図１に於けるＣ−Ｃ矢視断面図であるが、摺動コマ４６ａには筆記体が止着されてない状態で示している。
【図３】図１に於けるＢ−Ｂ断面図を示している。また、操作体の回転に伴うクリップの位置を示している。
【図４】図１に於けるＡ−Ａ断面図である。
【図５】本発明の実施例であるボールペン筆記体の縦断面図である。
【図６】本発明のボールペン筆記体を軸先部が屈曲可能な筆記具に搭載した状態の要部を示す図で、軸先部が真っ直ぐな状態を示している。
【図７】本発明のボールペン筆記体を軸先部が屈曲可能な筆記具に搭載した状態の要部を示す図で、軸先部が屈曲した状態を示している。
【符号の説明】
１ａ      ボールペン筆記体
１ｂ      ボールペン筆記体
２        継ぎ手部
３        前軸部
４        弾性体
６        弁室
７        ボール受け座
８        導孔
９        内孔部
１０      チップ
１１      先端ボール
１２      軸部
１３      スプリング
１４      棒軸部
１５      ボール弁
１６      インキ収容部
１７      インキ
１８      フォロア
１９      フォロア棒
２０      尾栓
２１      通気溝
２２      係止溝
３０      後軸
３０ａ    リブ
３０ｂ    段部
３１      ガイド用のリブ
３２      雄螺子
３３      回転軸
３４      小径部
３５      カム溝
３６      太径部
３６ａ    溝
３６ｂ    当接部
３６ｃ    当接部
３７      係止部
３８      回り止め溝
３９      膨出部
４０ａ    凹部
４０ｂ    凹部
４１      回り止めリブ
４２      操作体
４２ａ    係止溝
４３      天冠
４３ａ    孔部
４４      クリップ
４４ａ    クリップ（位置）
４４ｂ    クリップ（位置）
４５      玉部
４６ａ    摺動コマ
４６ｂ    摺動コマ
４７ａ    突起部
４７ｂ    突起部
４８ａ    挿入孔
４８ｂ    挿入孔
４９      先軸
４９ａ    先軸本体
４９ｂ    雌螺子
５１ａ    係止部
５１ｂ    係止部
５２ａ    ガイド溝
５２ｂ    ガイド突起
５３ａ    溝
５３ｂ    溝
５４      軸筒
５５      軸先部
５６      軸支部
【図１】
2004358691.tif 000003
【図２】
2004358691.tif 000004
【図３】
2004358691.tif 000005
【図４】
2004358691.tif 000006
【図５】
2004358691.tif 000007
【図６】
2004358691.tif 000008
【図７】
2004358691.tif 000009